(57)【特許請求の範囲】
【請求項１】
自然石パネルの一面に、積み上げ可能な積み台が該自然石パネルの一面から突出するようにして結合され、
前記積み台は、前記自然石パネルの一面に該自然石パネルの両側において結合されるフランジ部と、該両フランジ部を連結し該自然石パネルの一面と協働して該自然石パネルの一面との間に貫通孔を形成する連結部と、を有している、
ことを特徴とする壁体施工用自然石。
【請求項２】
請求項１において、
前記積み台は、前記自然石パネルの一面から離間するに従って横方向において狭まるようにされている、
ことを特徴とする壁体施工用自然石。
【請求項３】
請求項１において、
前記積み台が、板材を曲げ加工することにより形成されている、
ことを特徴とする壁体施工用自然石。
【請求項４】
請求項１において、
前記積み台が、多孔板を曲げ加工することにより形成されている、
ことを特徴とする壁体施工用自然石。
【請求項５】
請求項１において、
前記積み台が、コンクリ−トブロックにより形成されている、
ことを特徴とする壁体施工用自然石。
【請求項６】
請求項５において、
前記コンクリ−トブロック内に、前記自然石パネルの一面に結合された補強具が進入された状態で埋設されている、
ことを特徴とする壁体施工用自然石。
【請求項７】
請求項１〜５のいずれかにおいて、
前記積み台の少なくとも各フランジ部が孔を有し、
前記各フランジ部が、接着剤を該各フランジ部の内面側から前記孔を通って該フランジ部外面側に溢れ出た状態で、前記自然石パネルの一面に接着されている、
ことを特徴とする壁体施工用自然石。
【請求項８】
壁体施工用自然石として、自然石パネルの一面に積み上げ可能な積み台が該自然石パネルの一面から突出するようにして結合され、前記積み台が、前記自然石パネルの一面に該自然石パネルの両側において結合されるフランジ部と、該両フランジ部を連結し該自然石パネルの一面と協働して該自然石パネルの一面との間に貫通孔を形成する連結部と、を有しているものが備えられ、
前記壁体施工用自然石が、該自然石パネルを外方に向けつつ複数段に積み重ねられ、
前記各壁体施工用自然石における積み台が充填材料により埋設されている、
ことを特徴とする壁体。
【請求項９】
壁体施工用自然石として、自然石パネルの一面に積み上げ可能な積み台が該自然石パネルの一面から突出するようにして結合され、前記積み台が、前記自然石パネルの一面に該自然石パネルの両側において結合されるフランジ部と、該両フランジ部を連結し該自然石パネルの一面と協働して該自然石パネルの一面との間に貫通孔を形成する連結部と、を有しているものを用意し、
前記壁体施工用自然石を、順次、前記自然石パネルを外方に向けつつ複数段に積み重ねる一方、前記各壁体施工用自然石における積み台を充填材料により埋設する、
ことを特徴とする壁体施工用自然石の使用方法。
【発明の詳細な説明】
【０００１】
【発明の属する技術分野】
本発明は、護岸施工等に用いる壁体施工用自然石、壁体施工用自然石を用いた壁体、壁体施工用自然石の使用方法に関する。
【０００２】
【従来の技術】
従来、護岸、擁壁等の壁体を施工する方法として、自然石の空積工法がある。この空積工法は、石工が、石を１個づつ積み、詰石をしながら控部に砕石を詰めて積み上げていくもので、この積み上げにより、護岸、擁壁等の壁体が構築できることになる。
【０００３】
【発明が解決しようとする課題】
しかし、上記空積工法を用いた場合には、当該工法が、石を１個づつ積み、詰石をしながら控部に砕石を詰めて積み上げていくものであることから、詰め石等が外れたようなときには、そこを起点として、積み上げられた自然石が崩れる虞がある。このため、このような空積工法を用いたのでは、安定で強固な壁体を構築できないばかりか、施工中において、既に積み上げた自然石が崩れないように十分に気を配りながら、自然石を積み上げていかなければならない。
【０００４】
本発明は以上のような事情を勘案してなされたもので、その目的は、自然石壁面を有する壁体の施工を容易にすると共に、そのような施工を行ったとしても、安定で強固な壁体を構築できるようにすることにある。
【０００５】
【課題を解決するための手段】
上記目的を達成するために請求項１の発明にあっては、
自然石パネルの一面に、積み上げ可能な積み台が該自然石パネルの一面から突出するようにして結合され、
前記積み台は、前記自然石パネルの一面に該自然石パネルの両側において結合されるフランジ部と、該両フランジ部を連結し該自然石パネルの一面と協働して該自然石パネルの一面との間に貫通孔を形成する連結部と、を有している、ことを特徴とする壁体施工用自然石とした構成としてある。
【０００６】
また、請求項１の発明の好ましい態様としては、請求項２〜７の記載の通りとなる。
【０００７】
上記目的を達成するために請求項８の発明にあっては、
壁体施工用自然石として、自然石パネルの一面に積み上げ可能な積み台が該自然石パネルの一面から突出するようにして結合され、前記積み台が、前記自然石パネルの一面に該自然石パネルの両側において結合されるフランジ部と、該両フランジ部を連結し該自然石パネルの一面と協働して該自然石パネルの一面との間に貫通孔を形成する連結部と、を有しているものが備えられ、
前記壁体施工用自然石が、該自然石パネルを外方に向けつつ複数段に積み重ねられ、
前記各壁体施工用自然石における積み台が充填材料により埋設されている、
ことを特徴とする壁体とした構成としてある。
【０００８】
上記目的を達成するために請求項９の発明にあっては、
壁体施工用自然石として、自然石パネルの一面に積み上げ可能な積み台が該自然石パネルの一面から突出するようにして結合され、前記積み台が、前記自然石パネルの一面に該自然石パネルの両側において結合されるフランジ部と、該両フランジ部を連結し該自然石パネルの一面と協働して該自然石パネルの一面との間に貫通孔を形成する連結部と、を有しているものを用意し、
前記壁体施工用自然石を、順次、前記自然石パネルを外方に向けつつ複数段に積み重ねる一方、前記各壁体施工用自然石における積み台を充填材料により埋設する、
ことを特徴とする壁体施工用自然石の使用方法とした構成としてある。
【０００９】
【発明の効果】
請求項１に記載された発明によれば、当該壁体施工用自然石が、自然石パネルの一面に積み台が該自然石パネルの一面から突出するようにして結合されているものであることから、当該壁体施工用自然石を、その自然石パネルを外方側に向けつつ順次、積み上げさえすれば、外方側において、自然石壁面を形成できる一方、その施工の段階から、積み台が、自然石パネルを基準として法面側に荷重をかけた状態で当該壁体施工用自然石の安定な載置状態を確保し、当該壁体施工用自然石を安定な積み上げ状態とすることができることになる。しかも、積み台を充填材料により順次、埋設すれば、その充填材料の重量、その重量を受ける積み台の面に対して働く摩擦力、結合力等により各積み台（自然石パネル）の保持状態（移動規制）を強固なものとすることができることになる。このため、当該壁体施工用自然石を用いることにより、自然石壁面を有する壁体の施工を容易にできると共に、そのような施工を行ったとしても、安定で強固な壁体を構築できることになる。
また、当該壁体施工用自然石は、全体的にではなく、部分的に自然石パネルが用いられることから、自然石の使用量を減らして、自然石を効果的に使用できることになる。
【００１０】
さらに、積み台が、自然石パネルの一面に該自然石パネルの両側において結合されるフランジ部と、該両フランジ部を連結し該自然石パネルの一面と協働して該自然石パネルの一面との間に貫通孔を形成する連結部と、を有していることから、積み台を充填材料により埋設すれば、その積み台における貫通孔内、すなわち、自然石パネルと連結部との間にも充填材料が充填されることになり、その充填された充填材料よって連結部の外方側（自然石パネル側）への移動が規制されて、一層確実に、当該壁体施工用自然石が滑落することを防止できることになる。このため、当該壁体施工用自然石を用いることにより、より安定で強固な壁体を構築できることになる。
【００１１】
請求項２に記載された発明によれば、当該壁体施工用自然石の積み台が、自然石パネルの一面から離間するに従って横方向において狭まるようにされていることから、当該壁体施工用自然石を、横方向において隣合う壁体施工用自然石に対して傾かせて配置するとしても、隣合う壁体施工用自然石の積み台同士が干渉することを回避できることになり、当該壁体施工用自然石を、その自然石パネルを外方側に向けつつ横方向に並べて、複数の自然石パネルにより湾曲面を形成できることになる。このため、当該壁体施工用自然石を用いることにより、湾曲した自然石壁面を有する壁体を構築できることになる。
【００１２】
請求項３に記載された発明によれば、積み台が、板材を曲げ加工することにより形成されていることから、積み台を簡単に形成できることになる。
【００１３】
請求項４に記載された発明によれば、積み台が、多孔板を曲げ加工することにより形成されていることから、積み台を簡単に形成できるばかりか、その多孔板の目に棒等を通して、複数の壁体施工用自然石を横方向に並べた状態で施工個所に搬送することもできることになる。このため、施工性を向上させることができることになる。
【００１４】
請求項５に記載された発明によれば、積み台が、コンクリ−トブロックにより形成されていることから、自然石パネルの一面上でコンクリ−トブロックを硬化させることにより、積み台の製造と共に、自然石パネルに対する積み台の接着をも同時に行うことができることになる。このため、壁体施工用自然石の製造を容易にできることになる。
また、コンクリ−トブロックの比較的重い重量を利用して、自然石パネルをその一面側に倒れる方向に作用させておくことができることになる。このため、当該壁体施工用自然石を、自然石壁面の勾配が急になるように積み上げるとしても、外方側に滑落することを確実に防止できることになる。
【００１５】
請求項６に記載された発明によれば、コンクリ−トブロック内に自然石パネルの一面に結合された補強具が進入された状態で埋設されていることから、コンクリ−トブロックの脆い表面部だけでなくその内部においても結合面積を増大させることができることになり、自然石パネルに対するコンクリ−トブロックの結合強度を向上させることができることになる。
【００１６】
請求項７に記載された発明によれば、積み台の少なくとも各フランジ部が孔を有し、各フランジ部が、接着剤を該各フランジ部の内面側から孔を通って該フランジ部外面側に溢れ出た状態で、自然石パネルの一面に接着されていることから、自然石パネルとフランジ部とを接着剤を介して接着できるだけでなく、その接着剤は孔を通ってフランジ部外面側に溢れ出て該孔の開口よりも拡径された状態で硬化することになり、そのフランジ部外面側における接着剤硬化部分は物理的に抜け止め機能を発揮することになる。このため、自然石パネルに対する積み台の結合強度を向上させることができることになる。
【００１７】
請求項８に記載された発明によれば、壁体施工用自然石として、自然石パネルの一面に積み上げ可能な積み台が該自然石パネルの一面から突出するようにして結合され、前記積み台が、前記自然石パネルの一面に該自然石パネルの両側において結合されるフランジ部と、該両フランジ部を連結し該自然石パネルの一面と協働して該自然石パネルの一面との間に貫通孔を形成する連結部と、を有しているものが備えられ、前記壁体施工用自然石が、該自然石パネルを外方に向けつつ複数段に積み重ねられ、前記各壁体施工用自然石における積み台が充填材料により埋設されていることから、前記請求項１に係る壁体施工用自然石を用いた場合同様、積み台が、自然石パネルを基準として法面側に荷重をかけた状態で壁体施工用自然石の安定な載置状態を確保し、壁体施工用自然石を安定な積み上げ状態とすることができることになる。しかも、充填材料の重量、その重量を受ける積み台の面に対して働く摩擦力、結合力等により各積み台（自然石パネル）の保持状態（移動規制）を強固なものとすることができることになる。このため、自然石壁面を有する壁体の施工を容易にできると共に、そのような施工を行ったとしても、安定で強固な壁体を構築できることになる。
また、当該壁体においては、全体的にではなく、部分的に自然石パネルが用いられることから、自然石の使用量を減らして、自然石を効果的に使用できることになる。
【００１８】
請求項９に記載された発明によれば、壁体施工用自然石として、自然石パネルの一面に積み上げ可能な積み台が該自然石パネルの一面から突出するようにして結合され、前記積み台が、前記自然石パネルの一面に該自然石パネルの両側において結合されるフランジ部と、該両フランジ部を連結し該自然石パネルの一面と協働して該自然石パネルの一面との間に貫通孔を形成する連結部と、を有しているものを用意し、前記壁体施工用自然石を、順次、前記自然石パネルを外方に向けつつ複数段に積み重ねる一方、前記各壁体施工用自然石における積み台を充填材料により埋設することから、この方法を用いることにより、前述の請求項８に係る壁体と同様の壁体を得ることができ、該請求項８同様、自然石壁面を有する壁体の施工を容易にできると共に、そのような施工を行ったとしても、安定で強固な壁体を構築でき、しかも、壁体施工において、自然石の使用量を減らして自然石を効果的に使用できることになる。
【００１９】
【発明の実施の形態】
以下、本発明の実施形態について図面に基づいて説明する。
図１〜図８は第１実施形態を示すもので、この第１実施形態においては、多数の壁体施工用自然石１を用いて壁体としての護岸１０（例えば河川護岸）を施工した内容が示されている。
【００２０】
先ず、壁体施工用自然石１について説明する。
各壁体施工用自然石１は、図３〜図７に示すように、自然石パネル２の一面２ａ（裏面）に、積み台３が該自然石パネル２の一面２ａから突出するようにして結合されている。
【００２１】
上記自然石パネル２は、機械加工等により厚肉（例えば約５０ｍｍ程度）の長方形状とされた板状体（例えば長辺約５００ｍｍ程度、短辺約４００ｍｍ程度）に形成されており、この自然石パネル２は、その短辺を高さ方向（上下方向）に向け、その長辺を横方向に向けて使用される。この自然石パネル２の一面２ａは、できるだけ平坦面に形成され、その他面２ｂは、自然石の自然感を出すために多少凹凸に形成されている。勿論、この自然石パネル２の他面２ｂは、施工個所、施工目的等に応じて、平坦面にも、凹凸の程度を高めることも、適宜、行われる。この自然石パネル２の大きさは、任意の大きさとすることができ、その大きさも、施工目的等により適宜、決定される。
【００２２】
上記積み台３は、本実施形態においては、上記自然石パネル２と同幅の金網３ａ（多孔板）を曲げ加工することにより、一対のフランジ部４と、その両フランジ部４を連結する連結部５とを有することになっている。両フランジ部４は、金網３ａの両端部に形成されており、その両フランジ部４は、自然石パネル２の一面２ａに、その長手方向両端側において、結合されている。連結部５は、自然石パネル２の一面２ａから離間するに従って横方向において先細状になるように膨らませるべく、自然石パネル２の一面２ａから離れるに従って互いに近づくように傾斜される一対の側壁部６と、その一対の側壁部６をその先端部において跨ぐ後壁部７とを有している。これにより、自然石パネル２の一面２ａと積み台３との間に上下方向に貫通する貫通孔８が形成されると共に、自然石パネル２における長手方向両側の一面２ａ側において、一対の側壁部６形状に基づき、該自然石パネルの一面２ａから離れるに従って空間９が形成されることになっている。この積み台３は、フランジ部４及び連結部５の高さが自然石パネル２の高さと同じとされており、この積み台３下面（フランジ部４及び連結部５下面）と自然石パネル２の肉（下面）とにより壁体施工用自然石１の安定な載置状態が確保できることになっている。
【００２３】
上記自然石パネル２の一面２ａに対する積み台３の結合には、接着剤１１が用いられている。接着剤１１は、自然石パネル２と積み台３（フランジ部４）との良好な接着関係を得る観点から選択されており、本実施形態においては、エポキシ樹脂等が用いられている。上記自然石パネル２の一面２ａに対する上記積み台３のフランジ部４の結合は、図７に示すように、自然石パネル２の一面２ａ上においてフランジ部４が接着剤１１により埋設されるようにして行われており、接着剤１１は、フランジ部４の内面側からその網目１２を通って該フランジ部４外面側に溢れ出た状態となっている。これにより、接着剤１１は、自然石パネルとフランジ部４とを接着すると共に、網目１２を通ってフランジ部４外面側に溢れ出て該網目１２よりも拡径された状態で硬化することになり、そのフランジ部４外面側における接着剤硬化部分１１ａは物理的に抜け止め機能を発揮することになっている。
【００２４】
次に、上記壁体施工用自然石１の使用方法（護岸１０の施工方法）と、その使用方法により施工された護岸１０について説明する。
【００２５】
護岸１０の施工においては、多数の壁体施工用自然石１が、現状の岸に沿った各施工位置に運ばれる。この場合、複数（例えば４個くらい）の壁体施工用自然石１を横方向に並べた状態で、その各積み台３の網目１２に棒等を通して、施工個所に搬送される。勿論、各施工位置には、多数の壁体施工用自然石１を他の搬送具を用いて搬送してもよい。
【００２６】
施工位置に多数の壁体施工用自然石１が搬送されると、その各壁体施工用自然石１は、図１に示すように、自然石パネル２を外方側に向けると共に隣合う自然石パネル２に対して突き合わせつつ、その岸（或は法面）の勾配に沿わせたり或は必要な勾配（例えば３分等）をもって、順次、積み上げられる。
【００２７】
この場合、各段の壁体施工用自然石１の自然石パネル２が、図１に示すように、隣合う上下段において横方向に隣接して並ぶ自然石パネル２間を跨ぐようにして配設されると共に、各積み台の側壁部６が、図２に示すように、その積み台３の下段における積み台３の側壁部６上面上に交差するように載置されることになっている。これにより、壁体施工用自然石１が、安定状態をもって順次、上方に向けて積み上げることができると共に、各段の壁体施工用自然石１の荷重が隣合う下段において横方向に隣接して並ぶ壁体施工用自然石１に作用して、その隣接状態を強固に保持できることになっている。
【００２８】
また、この各壁体施工用自然石１の積み上げに際しては、そのとき最上段となっている壁体施工用自然石１の自然石パネル２と法面１３との間に、充填材料（裏込材料）としての砕石、土砂、れき、コンクリ−ト廃棄物等（以下、土砂等と称す）１４が充填され、その土砂等１４により、そのとき最上段となっている壁体施工用自然石１の自然石パネル２の上面とほぼ同一平坦面が形成されることになっている（図１においては、土砂等１４は、便宜上、省略されている）。これにより、積み上げるべき次の壁体施工用自然石１（シ−ト体３等）の安定した載置面を確保して、壁体施工用自然石１の積み上げ作業の円滑化を図る共に、積み台３と土砂等１４との摩擦力により、その積み台の保持状態を高め、自然石パネル２（壁体施工用自然石１）の滑落（移動）を防止することになっている。特に本実施形態においては、積み台３に貫通孔８が形成されて、その内部にも土砂等１４が充填されており、これにより、上記保持能力が高いものとされている。
【００２９】
さらに、護岸１０の自然石壁面を湾曲面とするときには、図８に示すように、壁体施工用自然石１を、横方向において隣合う壁体施工用自然石１に対して傾かせて配置される。これにより、このように壁体施工用自然石１を配置しても、壁体施工用自然石１の積み台３が、自然石パネル２の一面２ａから離間するに従って横方向において狭まるようにされていることから、隣合う壁体施工用自然石１の積み台３同士が干渉することを回避できることになり、壁体施工用自然石１を、その自然石パネル２を外方側に向けつつ横方向に並べて、複数の自然石パネル２により湾曲面を形成できることになる。
【００３０】
特に、上記施工においては、自然石パネル２の滑落を一層防止する観点から、自然石パネル２と法面１３との間に土砂等１４を充填した際に、外部からロ−ラ等により圧力を加えること（転圧）により土砂等１４の密度を高め、土砂等１４と積み台３との摩擦力が高められる。また、この場合、隣合う壁体施工用自然石１の自然石パネル２同士、或は積み台３同士（例えば上下段の側壁部６同士）を、接着剤等により結合するようにすれば、自然石パネル２滑落防止の観点から、より好ましいものとなる。
【００３１】
尚、図１、図２中、符号１５は吸い出し防止シ−トである。
【００３２】
このような施工の結果、図１、図２に示すように、各壁体施工用自然石１の自然石パネル２が自然石壁面を構成する護岸１０を形成することになり、その護岸１０においては、水際が魚巣となり法面１３部が自然植生が可能となり、多自然護岸を構築することができることになる。
【００３３】
図９、図１０は第２実施形態、図１１〜図１３は第３実施形態、図１４は第４実施形態を示すものである。この各実施形態において、前記第１実施形態と同一構成要素については同一符号を付してその説明を省略する。
【００３４】
第２実施形態においては、積み台３として、金属材料（板材）たるアングル枠材３ｂを用いて、前記第１実施形態と同様の形状に形成されており、その両フランジ部４には、複数の孔１６が形成されている。そして、この両フランジ部４は、接着剤１１を該各フランジ部４の内面側から孔１６を通って該フランジ部４外面側に溢れ出させた状態で、自然石パネル２の一面２ａに接着されている。
【００３５】
これにより、積み台３を簡単に形成でき、また、自然石パネル２と積み台３との結合に関し、図１０に示すように、自然石パネル２とフランジ部４とを接着剤１１を介して接着できるだけでなく、その接着剤１１は孔１６を通ってフランジ部４外面側に溢れ出て該孔１６の開口よりも拡径された状態で硬化し、そのフランジ部４外面側における接着剤硬化部分１１ａは物理的に抜け止め機能を発揮することになる。また、積み台３が、金属材料（板材）たるアングル枠材３ｂを用いて形成されていることから、その金属材料の強い強度を利用して、当該壁体施工用自然石１に対してラフな取り扱いをすることができることになる。
【００３６】
第３実施形態においては、積み台３がコンクリ−トブロック３ｃにより形成されている。
【００３７】
これにより、自然石パネルの一面２ａ上でコンクリ−トブロック３ｃを硬化させることにより、積み台３の製造と共に、自然石パネル２に対する積み台３の接着をも同時に行うことができることになり、壁体施工用自然石１の製造を容易にできることになる。また、コンクリ−トブロック３ｃの比較的重い重量をも利用して、自然石パネル２をその一面２ａ側（法面１３側）に倒れる方向に作用させておくことができることになり、当該壁体施工用自然石１を、自然石壁面の勾配が急になるように積み上げるとしても、外方側に滑落することを確実に防止できることになる。
【００３８】
この場合、コンクリ−トブロック３ｃ表面部の脆い性質を考慮して、コンクリ−トブロック３ｃ内に自然石パネルの一面２ａに結合された金具（補強具）１７が進入された状態で埋設されており、この金具１７により、コンクリ−トブロック３ｃの脆い表面部だけでなくその内部において結合面積を増大させて、自然石パネル２に対するコンクリ−トブロック３ｃの結合強度を向上させることができることになっている。
【００３９】
第４実施形態においては、積み台３として、コンクリ−ト３ｃを用いて、前記第１、第２実施形態と同様の形状に形成されており、その両フランジ部４には、複数の孔１６が形成されている。そして、この両フランジ部４においても、接着剤１１を該各フランジ部４の内面側から孔１６を通って該フランジ部４外面側に溢れ出させた状態で、自然石パネル２の一面２ａに接着されている。しかも、このコンクリ−ト製積み台３の側壁部６には、比較的大きな孔６ａが形成されており、これにより、土砂等１４と積み台３との絡み合いを高めて壁体施工用自然石１の保持性を高めることができることになっている。
【００４０】
以上実施形態について説明したが本発明においては、次のようなものを包含する。
（１）自然石パネル２の形状を、長方形状等の矩形形状に限らず、三角形状、五角形状、六角形状等にすること。
（２）壁体として擁壁に適用すること。
（３）充填材料としてコンクリ−トを、単独或いは土砂等１４と共に、壁体施工用自然石１の自然石パネル２と法面１３との間に流し込んで、積み台３をコンクリ−ト中に埋設し、強固な擁壁等の壁体を構築すること。この場合、自然石パネル２同士の突き合わせは、隙間を生じないようにすることが好ましい。コンクリ−トの流し込み時に、コンクリ−トが漏れることを防止できるからである。
【００４１】
本発明の目的は、明記されたものに限らず、実質的に好ましいあるいは利点として記載されたものに対応したものを提供することを暗黙的に含むものである。
【図面の簡単な説明】
【図１】第１実施形態に係る河川護岸を説明する説明図。
【図２】第１実施形態に係る河川護岸を上方から見た説明図。
【図３】第１実施形態に係る壁体施工用自然石を示す斜視図。
【図４】図３の平面図。
【図５】第１実施形態に係る壁体施工用自然石を示す側面図。
【図６】図５の背面図。
【図７】自然石パネルに対する第１実施形態に係る積み台の接着を説明する拡大説明図。
【図８】第１実施形態に係る壁体施工用自然石を用いて、湾曲した自然石壁面を形成する場合を説明する説明図。
【図９】第２実施形態に係る壁体施工用自然石を示す斜視図。
【図１０】自然石パネルに対する第２実施形態に係る積み台のフランジ部の接着を説明する拡大説明図。
【図１１】第３実施形態に係る壁体施工用自然石を示す斜視図。
【図１２】自然石パネルに対する第２実施形態に係るコンクリ−トブロックの結合を説明する部分拡大説明図。
【図１３】自然石パネルに対する第２実施形態に係るコンクリ−トブロックの結合において用いられる金具１７を示す斜視図。
【図１４】第４実施形態に係る壁体施工用自然石を示す斜視図。
【符号の説明】
１ 壁体施工用自然石
２ 自然石パネル
２ａ 自然石パネルの一面
３ 積み台
３ａ 金網
３ｂ アングル枠材
３ｃ コンクリ−トブロック
４ フランジ部
５ 連結部
６ 側壁部
８ 貫通孔
１０ 護岸
１１ 接着剤
１１ａ 接着剤硬化部分
１２ 網目
１４ 土砂等
１６ 孔
１７ 金具
【図１】
0003844827.tif 000002
【図２】
0003844827.tif 000003
【図３】
0003844827.tif 000004
【図４】
0003844827.tif 000005
【図５】
0003844827.tif 000006
【図６】
0003844827.tif 000007
【図７】
0003844827.tif 000008
【図８】
0003844827.tif 000009
【図９】
0003844827.tif 000010
【図１０】
0003844827.tif 000011
【図１１】
0003844827.tif 000012
【図１２】
0003844827.tif 000013
【図１３】
0003844827.tif 000014
【図１４】
0003844827.tif 000015